(57)【要約】【課題】  番組やコマーシャル（ＣＭ）といった放送素材を送出する送出システムで、送出予定の放送素材と送出により放送（オンエア）された放送素材とが一致していることを確認する。【解決手段】  記憶手段７が送出が予定されている放送素材の映像情報と当該放送素材の識別情報とを対応付けて記憶する。指示手段１が送出する放送素材を指示する。送出手段９、１０が指示手段により指示された放送素材の映像情報を記憶手段７から読み出して送出する。判定手段３が送出手段より送出された放送素材の識別情報と指示手段により指示された放送素材の識別情報とが一致するか否かを判定する。【選択図】  図１
2006180234.tif 000002
【特許請求の範囲】
【請求項１】
放送素材を送出する送出システムにおいて、
送出が予定されている放送素材の映像情報と当該放送素材の識別情報とを対応付けて記憶する記憶手段と、
送出する放送素材を指示する指示手段と、
当該指示手段により指示された放送素材の映像情報を前記記憶手段から読み出して送出する送出手段と、
当該送出手段より送出された放送素材の識別情報と、前記指示手段により指示された放送素材の識別情報とが一致するか否かを判定する判定手段と、
を備えたことを特徴とする送出システム。
【請求項２】
請求項１に記載の送出システムにおいて、
前記判定手段による判定結果に関する情報を出力すると共に、両識別情報が不一致だったときの日時情報もしくは不一致だったときに前記送出手段より送出された放送素材の識別情報の少なくとも一方を出力する出力手段を備えた、
ことを特徴とする送出システム。
【請求項３】
請求項１又は請求項２に記載の送出システムにおいて、
送出が予定されている放送素材の指定を受け付ける受付手段と、
当該受付手段より前記指定が受け付けられた放送素材の映像情報と当該放送素材の識別情報とを対応付けて前記記憶手段に記憶させる登録手段と、
を備えたことを特徴とする送出システム。
【発明の詳細な説明】
【技術分野】
【０００１】
本発明は、番組やコマーシャル（ＣＭ）といった放送素材を送出する送出システムに関し、特に、送出予定の放送素材と送出により放送（オンエア）された放送素材とが一致していることを確認する送出システムに関する。
【背景技術】
【０００２】
従来の送出システムでは、放送素材の送出制御は行っていたものの（特許文献１参照）、送出されたことで放送（オンエア）された放送素材の確認をする際、即ち、放送結果の確認をする際には、表示装置上に表示されている放送結果リストと放送予定リストとを照らし合わせることで、目視による確認作業が行われていた。この放送結果リストは、短いコマーシャルなどの場合には、秒単位で更新される。このため、予定されていた番組やコマーシャル以外のものが放送されるといったような放送事故が発生していないかを確認するために、常に表示装置上に表示される放送結果リストを確認する作業員が必要である。また、２４時間、放送事故が発生していないかを、目視のみで確認しているため、作業が煩雑であり、放送事故を見逃してしまうと、発生した放送事故の対応にも後れが生じることになる。
【０００３】
【特許文献１】特開２００３−２８３４４９号公報
【発明の開示】
【発明が解決しようとする課題】
【０００４】
上述のように、従来の送出システムでは、放送予定の放送素材と放送結果の放送素材とが一致していることを人間の目視により確認しており、この確認作業が非常に煩雑であり、放送事故への迅速な対応の負担が大きいといった不具合があった。
本発明は、このような従来の課題を解決するために為されたもので、放送予定の放送素材と放送結果の放送素材とが一致していることを容易に確認することができる送出システムを提供することを目的とする。
【課題を解決するための手段】
【０００５】
上記目的を達成するため、本発明に係る送出システムでは、放送素材を放送するに際して、次のような処理を行う。
すなわち、記憶手段が、送出が予定されている放送素材の映像情報と、当該放送素材の識別情報とを対応付けて記憶する。指示手段が、送出する放送素材を指示する。送出手段が、前記指示手段により指示された放送素材の映像情報を前記記憶手段から読み出して送出する。判定手段が、前記送出手段より送出された放送素材の識別情報と、前記指示手段により指示された放送素材の識別情報とが一致するか否かを判定する。
従って、放送素材の識別情報を用いて、放送予定の放送素材と放送結果の放送素材とが一致しているか否かが判定されるため、このような確認が作業員にとって容易化され、迅速な対応が可能となる。
【０００６】
ここで、放送素材としては、種々なものが用いられてもよく、例えば、映像情報や音声情報から構成される番組やコマーシャルなどが用いられる。
また、放送としては、種々なものが用いられてもよく、例えば、テレビの放送が用いられる。
また、映像情報としては、種々なものが用いられてもよく、例えば、テレビジョン信号による映像の情報が用いられ、また、例えば、ＭＰＥＧ（Ｍｏｖｉｎｇ  Ｐｉｃｔｕｒｅｓ  Ｅｘｐｅｒｔｓ  Ｇｒｏｕｐｓ）方式などで圧縮された情報が用いられてもよい。
また、放送素材の識別情報としては、種々なものが用いられてもよく、例えば、番号の情報などを用いることができる。
また、映像情報と識別情報とを対応付けて記憶する態様としては、種々な態様が用いられてもよく、例えば、映像情報の内で他の情報を付加或いは挿入等することが可能な位置に識別情報を付加或いは挿入等する態様や、或いは、映像情報と識別情報とを互いに関係付けてそれぞれ別の情報として記憶する態様などを用いることができる。
また、記憶手段としては、例えば、メモリを用いて構成することができる。
【０００７】
また、放送素材を指示する態様としては、種々な態様が用いられてもよく、例えば、放送素材の名称、放送予定時間、放送順序、記憶されているメモリのアドレス、識別情報、その他の情報の内の１つ以上を用いて放送素材を特定して指示することができる。また、指示された放送素材の映像情報を読み出す態様としては、例えば、このような種々な情報と放送素材の映像情報とが対応して記憶手段に記憶されている場合に、このような種々な情報を用いて放送素材の映像情報を特定して読み出すことができる。
また、例えば、識別情報以外の情報を用いて放送素材が指示される場合には、指示に用いられる情報と識別情報との対応関係を予め記憶しておいて、指示に用いられた情報から対応する識別情報を特定して判定に使用する。
【０００８】
本発明に係る送出システムでは、一構成例として、次のような処理を行う。
すなわち、出力手段が、前記判定手段による判定結果に関する情報を出力すると共に、両識別情報が不一致だったときの日時情報もしくは不一致だったときに送出手段より送出された放送素材の識別情報の少なくとも一方を出力する。
従って、放送予定の放送素材と放送結果の放送素材とが一致しているか否かに関する情報が出力されることにより、このような情報を作業員などに提供することができる。また、両放送素材が不一致だったときの日時もしくは不一致だったときの放送結果の放送素材に関する情報も作業員などに提供することができる。
【０００９】
ここで、判定結果に関する情報としては、種々な情報が用いられてもよく、例えば、放送予定の放送素材と放送結果の放送素材とが一致するという情報或いは一致しない（つまり、異なる）という情報の一方又は両方を用いることができ、また、放送予定の放送素材に関する情報や、放送結果の放送素材に関する情報を用いることができる。例えば、一致しない場合にのみ出力して、作業員の注意を喚起させるようなことも可能である。
また、出力の態様としては、種々な態様が用いられてもよく、例えば、画面への表示出力や、印刷による紙への表示出力や、音の出力や、他の装置への出力などを用いることができる。
【００１０】
本発明に係る送出システムでは、一構成例として、次のような処理を行う。
すなわち、受付手段が、放送が予定されている放送素材の指定を受け付ける。登録手段が、前記受付手段により前記指定が受け付けられた放送素材の映像情報と、当該放送素材の識別情報とを対応付けて、前記記憶手段に記憶させる。
従って、放送が予定されている放送素材が指定されることで、当該放送素材に関する情報を登録することができる。
【００１１】
ここで、放送素材の指定は、例えば、作業員により為されてもよく、或いは、装置により為されてもよい。
また、放送素材の指定は、種々な情報を用いて為されてもよい。
また、例えば、識別情報以外の情報を用いて放送素材が指定される場合には、指定に用いられる情報と識別情報との対応関係を予め記憶しておいて、指定に用いられた情報から対応する識別情報を特定して登録に使用する。
また、登録される映像情報は、例えば、指定の際に入力されてもよく、或いは、予め指定に用いられる情報と対応付けられて記憶されていてもよい。
また、映像情報は、例えば、識別情報と対応付けられるとともに、識別情報以外の情報と対応して記憶されてもよい。
【発明の効果】
【００１２】
以上説明したように、本発明に係る送出システムによると、放送が予定されている放送素材の映像情報と当該放送素材の識別情報とを対応付けて記憶し、指示された放送素材の映像情報を読み出して放送するに際して、実際に放送される放送素材に対応して記憶された識別情報と指示された放送素材の識別情報とが一致するか否かを判定するようにしたため、放送予定の放送素材と放送結果の放送素材とが一致しているか否かの確認が容易化され、迅速な対応が可能となる。
【発明を実施するための最良の形態】
【００１３】
本発明に係る一実施例を図面を参照して説明する。
図１には、本発明の一実施例に係る送出システムの構成例を示してある。
本実施例の送出システムは、番組やコマーシャルといった放送素材に関する情報を管理するＡＰＣ（Ａｕｔｏｍａｔｉｃ  Ｐｒｏｇｒａｍ  Ｃｏｎｔｒｏｌ）端末１と、番組やコマーシャルを登録する登録卓２と、放送予定内容と実際の放送内容との一致状況を表示する送出監視端末３と、放送素材の登録を制御する登録コントローラ４と、映像情報の記憶や再生を行うビデオデッキ５と、映像情報に補助情報（アンシラリ情報）を挿入するインサータ６と、映像情報の記憶を行うビデオサーバ７と、各種の情報を記憶して格納するデータベースサーバ８と、放送素材の送出を制御する送出コントローラ９と、映像情報からアンシラリ情報を読み出すリーダ１０を備えている。
ここで、ＡＰＣ端末１や登録卓２や送出監視端末３は、例えば、コンピュータを用いて構成されている。
【００１４】
本実施例の送出システムにより放送素材を登録する時における処理の動作の一例（Ａ１）〜（Ａ６）を示す。
（Ａ１）ＡＰＣ端末１により管理された放送素材に関する情報の内で、登録時に必要な情報がデータベースサーバ８へ送信されて格納される。登録時に必要な情報としては、各放送素材の素材コードの情報（素材コードは、放送素材に応じて異なる）や、各放送素材の素材長の情報などがある。
（Ａ２）登録卓２は、ＡＰＣ端末１より送信されることでデータベースサーバ８に格納された情報に基づいて、ビデオサーバ７に登録することが可能な放送素材のリストを画面に表示する。
（Ａ３）作業員は登録卓２を操作して、ビデオサーバ７に登録する放送素材を指定する。
（Ａ４）登録卓２は、登録コントローラ４を介してビデオデッキ５を制御し、登録対象となる放送素材をビデオサーバ７に登録（収録）する。
（Ａ５）上記（Ａ４）の処理を行う際、登録コントローラ４は、インサータ６に対して、映像情報のアンシラリ部の内の任意の部分に書き込む素材コード（登録対象となる放送素材の素材コード）を指定する。本実施例では、この素材コードとしては、ＡＰＣ端末１により管理されている素材コードを使用する。
（Ａ６）上記（Ａ５）の処理によって、放送素材の映像情報のアンシラリ部に当該放送素材の素材コードの情報が記載され、本実施例では、この素材コードを検査（チェック）対象として用いる。
【００１５】
ここで、登録時の具体例を示す。
例えば、放送素材の映像情報には、補助的な情報であるアンシラリ情報を挿入することが可能な部分（アンシラリ部）がある。一例として、テレビジョン信号のビデオ情報領域の上下や左右には水平方向や垂直方向についてのブランキング期間が存在しており、このブランキング期間をアンシラリ部として用いることが可能である。
インサータ６は、ビデオデッキ５から入力される登録対象となる放送素材の映像情報のアンシラリ部に、登録コントローラ４から指定される当該放送素材の素材コードの情報をアンシラリ情報として挿入する。
ビデオサーバ７には、素材コードの情報が挿入された映像情報が記憶されて格納される。
【００１６】
本実施例の送出システムにより放送素材を放送する時における処理の動作の一例（Ｂ１）〜（Ｂ６）を示す。
（Ｂ１）ＡＰＣ端末１から、送出コントローラ９に対して、送出する番組やコマーシャルといった放送素材のリストが送信される。
（Ｂ２）送出コントローラ９は、ＡＰＣ端末１から受信したリストに基づいて、ビデオサーバ７に対して、放送する放送素材の素材コードを指示する。
（Ｂ３）ビデオサーバ７は、放送指示のあった素材コードに対応した番組やコマーシャルといった放送素材を放送（オンエア）する。
（Ｂ４）上記（Ｂ３）の処理の時に、放送される放送素材の映像情報から、登録時において当該映像情報のアンシラリ部の内の任意部に書き込まれた素材コードの情報をリーダ１０により読み出す。読み出された素材コードの情報は、本実施例では、送出コントローラ９を介して送出監視端末３へ送信される。
（Ｂ５）送出監視端末３では、リーダ１０により読み出された素材コードの情報と送出コントローラ９により放送指示のあった素材コードの情報とを放送（オンエア）する度に比較する。
（Ｂ６）送出監視端末３では、この比較結果を当該送出監視端末３の画面に表示する。更に、万一、両素材コードが一致しなかったとき、間違って放送（オンエア）された日時、間違って放送（オンエア）された放送素材の素材コード、素材長が送出監視端末３に格納されることで、エラー履歴をとると共に、エラー履歴を表示する。
（Ｂ７）以降、上記（Ｂ１）〜上記（Ｂ６）の処理を繰り返して行う。
（Ｂ８）作業員は、送出監視端末３の画面に表示される比較結果を見て、放送事故が発生していないかを監視する。
【００１７】
ここで、放送時の具体例を示す。
例えば、リーダ１０は、送出コントローラ９がビデオサーバ７を制御して当該ビデオサーバ７に格納された放送対象となる放送素材の映像情報が読み出されるに際して、当該映像情報にアンシラリ情報として付加されて含まれている素材コードの情報を読み出して、当該情報を送出コントローラ９を介して送出監視端末３へ送信する。
送出監視端末３は、ＡＰＣ端末１により指示された放送対象となる放送素材の素材コードの情報或いはそれに応じて送出コントローラ９により指示された放送対象となる放送素材の素材コードの情報を受信して、この素材コードの情報を、放送予定となる放送素材の素材コードの情報として把握する。また、送出監視端末３は、リーダ１０から受信した素材コードの情報を、実際に放送する放送素材の素材コードの情報として把握する。そして、送出監視端末３は、これら把握した２つの素材コードの情報が一致するか否かを比較して、当該比較結果に関する情報を画面に表示する。比較結果を表示するだけでなく、万一、両素材コードが一致しなかったときの日時、実際に放送した放送素材の素材コード、素材長が送出監視端末３に格納及び表示されることにより、エラー履歴をとることができる。
【００１８】
この比較結果としては、例えば、２つの素材コードの情報が一致するという結果、或いは、異なるという結果がある。
また、画面表示としては、例えば、比較対象となる２つの素材コードの情報が異なる場合にのみ所定の表示を行うような態様が用いられてもよく、或いは、２つの素材コードの情報が一致する場合と異なる場合との両方についてそれぞれの旨を示す表示を行うような態様が用いられてもよい。
また、画面表示による出力ばかりでなく、例えば、ブザーなどによる音の出力や、プリンタへの印刷の出力などが用いられてもよい。
【００１９】
以上のように、本実施例の送出システムでは、番組やコマーシャルといった放送素材を放送して当該放送素材の映像情報を受信端末（例えば、テレビジョン受像機）で再生させるに際して、放送予定の放送素材と放送（オンエア）している放送素材とをリアルタイムに比較することで、放送が予定されている放送素材が予定されている時間に放送されているか否かをリアルタイムにチェックすることができ、作業員（ユーザ）はチェック結果を表示する画面を見て放送状況を即時に確認することができる。更に、エラー履歴をとることで、放送事故の有無だけでなく、放送事故の発生日時、放送事故の内容を把握することができる。
従って、本実施例の送出システムでは、放送予定リストと放送結果リストとの一致を確認する処理が自動化され、放送結果のチェックをリアルタイムに自動で行うことが可能となり、作業員（ユーザ）による放送結果の確認作業を簡略化することができる。これにより、放送事故が発生した場合の対応が、従来よりも早く行えるようになる。
【００２０】
なお、本実施例の送出システムでは、ビデオサーバ７の機能により記憶手段が構成されており、ＡＰＣ端末１の機能により指示手段が構成されており、送出コントローラ９の機能やリーダ１０の機能により放送手段が構成されており、送出監視端末３の機能により判定手段が構成されており、送出監視端末３の画面表示機能により出力手段が構成されており、登録卓２の機能により受付手段が構成されており、登録コントローラ４の機能やビデオデッキ５の機能やインサータ６の機能により登録手段が構成されている。
【００２１】
ここで、本発明に係る送出システムなどの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る送出システムなどにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２２】
【図１】本発明の一実施例に係る送出システムの構成例を示す図である。
【符号の説明】
【００２３】
１・・ＡＰＣ端末、  ２・・登録卓、  ３・・送出監視端末、  ４・・登録コントローラ、  ５・・ビデオデッキ、  ６・・インサータ、  ７・・ビデオサーバ、  ８・・データベースサーバ、  ９・・送出コントローラ、  １０・・リーダ、
【図１】
2006180234.tif 000003